(57)【要約】【課題】  液状内容物を、収納しているレフィル容器部から直接吐出させることにより、安定した吐出動作と、衛生的な使用状況と、そしてレフィル容器部の安全な着脱操作を得ることを目的とする。【解決手段】  収納した液状内容物Ｎの吐出口５を上端に有すると共に、内容物Ｎを吐出するためのピストン９を内蔵したレフィル容器部１を、ピストン９を昇降させる繰り上げ機能部１６に組付け、レフィル容器部１と繰り上げ機能部１６との組付けを、ピストン９に組付く引き下げ片体１１を介することにより、分離可能状態を認識できる。【選択図】図１
2010005328.tif 000002
【特許請求の範囲】
【請求項１】
上端に開閉される吐出口を有して、液状内容物を収納する収納筒体内に、前記内容物を吐出口から押出す有底筒状のピストンを組付け、該ピストンの下端に、引き下げ片体を係合組付けしたレフィル容器部と、該レフィル容器部の下端部を着脱自在に組付ける本体筒の下端に、上面中央に螺旋棒を起立設した回動ツマミを回動可能に組付け、前記螺旋棒に螺合すると共に、前記本体筒に対して昇降変位可能ではあるが空転不能に組付き、前記ピストンに押上げ力を作用させる繰り上げ筒体を設けた繰り上げ機能部とから成り、前記引き下げ片体に対して繰り上げ筒体を、上方から乗り越え係止させ、該引き下げ片体と繰り上げ筒体の係止を、前記引き下げ片体の螺旋棒に対する上方からの突き当たりにより、解除させるものとした液状内容物吐出容器。
【請求項２】
引き下げ片体を、有底短円筒状の係止筒片の底壁下面中央から棒片状の脚片を垂下設し、前記係止筒片を、ピストンに垂下設された係合筒片に嵌入してアンダーカット結合させ、前記脚片に周設した係止条に、繰り上げ筒体の内周面上端に設けた係止突片を、上方から乗り越え係止させる請求項１に記載の液状内容物吐出容器。
【請求項３】
レフィル容器部の収納筒体の下端開口部に、底キャップを着脱自在に組付けた請求項１または２記載の液状内容物吐出容器。
【発明の詳細な説明】
【技術分野】
【０００１】
本発明は、液状口紅等の液状内容物の吐出容器に関するもので、液状内容物をレフィル状態で取り扱いできるようにしたものである。
【背景技術】
【０００２】
液状内容物を、レフィル状態で取り扱うことができるようにした従来技術として、本体と、液体を収容した減少・回復の体積変化をする容器から成り、本体に弁座部とこれに対して弾発的に当接する弁杆を配置し、弁杆を容器の先端開口部から後方まで延設した容器内弁押棒に接続し、容器の後部を押圧して弁杆を前進させ、これによって弁を開放し、液体を吐出させ、弁座部材に容器と液密に係合する嵌合部を、容器内弁押棒には、容器の先端開口部を密閉する密閉部を設け、弁座部材には、容器と容器内弁押棒との密閉を解除する解除手段を備えた構成のものがある。
【特許文献１】特開２０００−０７０８２８号公報
【０００３】
この従来技術にあっては、レフィル容器部であるカートリッジに収納した内容物を、このカートリッジ側からの操作力により、本体側に設けた弁機能部分を作動させ、これにより内容物の吐出を行う構成とし、これによりカートリッジ側の構成を簡単化することができるようにしている。
【発明の開示】
【発明が解決しようとする課題】
【０００４】
しかしながら、上記した従来技術にあっては、内容物の吐出通路が本体側に形成されると共に、この吐出通路の途中に開閉弁が設けられているので、吐出通路中に常に内容物が残存することになり、このため吐出路の目詰まりとか、残存した内容物の変質等により不衛生となる、と云う問題があった。
【０００５】
また、本体側から使い切ったカートリッジを分離させる際に、本体側に対するカートリッジ自体の螺脱とは別に、カートリッジ側の密閉部に対する、本体側の接続部材の離脱を達成する必要があり、このため分離処理が面倒であると共に、本体側の接続部材が弁機能部分の主要構成部分であるので、弁機能部分を損傷させる恐れがある、と云う問題があった。
【０００６】
そこで、本発明は、上記した従来技術における問題点を解消すべく創案されたもので、液状内容物を、収納しているレフィル容器部から直接吐出させることを技術的課題とし、もって安定した吐出動作と、衛生的な使用状況と、そしてレフィル容器部の安全な着脱操作を得ることを目的とする。
【課題を解決するための手段】
【０００７】
本発明の液状内容物吐出容器の主たる構成は、上端に開閉される吐出口を有して、液状内容物を収納する収納筒体内に、内容物を吐出口から押出す有底筒状のピストンを組付け、このピストンの下端に、引き下げ片体を係合組付けしたレフィル容器部と、このレフィル容器部の下端部を着脱自在に組付ける本体筒の下端に、上面中央に螺旋棒を起立設した回動ツマミを回動可能に組付け、この回動ツマミの螺旋棒に螺合すると共に、本体筒に対して昇降変位可能ではあるが空転不能に組付き、レフィル容器部のピストンに押上げ力を作用させる繰り上げ筒体を設けた繰り上げ機能部とから構成されている。
【０００８】
レフィル容器部の引き下げ片体に対して、繰り上げ機能部の繰り上げ筒体を、上方から乗り越え係止させており、この引き下げ片体と繰り上げ筒体の係止を、引き下げ片体の螺旋棒に対する上方からの突き当たりにより、解除させるものとしている。
【０００９】
内容物を収納したレフィル容器部は、ピストンを収納筒体の下端部に位置させているので、このレフィル容器部を繰り上げ機能部の本体筒の上端部に組付けると、繰り上げ筒体の上端面がピストンの下端面に対向すると共に、繰り上げ筒体の上端部が引き下げ片体に、上方から乗り越え係止する。
【００１０】
この状態から、レフィル容器部の吐出口を開放して、繰り上げ機能部の回動ツマミを回動操作して、繰り上げ筒体を繰り上げると、この繰り上げ筒体はレフィル容器部のピストンを押し上げ、これによりレフィル容器部内から、所望量の内容物を、吐出口から吐出して、使用に供する。
【００１１】
レフィル容器部のピストンが上昇限界位置に達して、内容物を使用し尽した状態となったならば、レフィル容器部を繰り上げ機能部から取外す、レフィル容器部の繰り上げ機能部からの取外しは、ピストンと引き下げ片体を繰り上げた状態のまま、この位置でレフィル容器部の収納筒体を、繰り上げ機能部の本体筒から離脱させ、そのまま引上げて達成するか、回動ツマミを逆操作して、ピストンおよび引き下げ片体と一緒に繰り上げ筒体を下降限界位置まで引き下げてから達成する。
【００１２】
このレフィル容器部の繰り上げ機能部からの取外しを達成したならば、回動ツマミを逆方向に回動させて繰り上げ筒体を下降限界位置まで繰り下げて、残存している引き下げ片体と繰り上げ筒体との係止を解除して、引き下げ片体を分離させると共に、繰り上げ機能部側を、新たなレフィル容器部を組付けることのできる待機状態とする。
【００１３】
本発明の別の構成は、上記した主たる構成に加えて、引き下げ片体を、有底短円筒状の係止筒片の底壁下面中央から棒片状の脚片を垂下設し、係止筒片を、ピストンに垂下設された係合筒片に嵌入してアンダーカット結合させ、脚片に周設した係止条に、繰り上げ筒体の内周面上端に設けた係止突片を、上方から乗り越え係止させる構成とした、ものである。
【００１４】
引き下げ片体を、係止筒片と係止条を有する脚片とから構成したものにあっては、引き下げ片体のピストンに対する係止組付き部分と、繰り上げ筒体に対する係止組付き部分とを、別々に形成することができ、これにより両者の係止力を別々に設定することができる。
【００１５】
また、本発明の別の構成は、上記した主たる構成に加えて、レフィル容器部の収納筒体の下端開口部に、底キャップを着脱自在に組付けた、ものである。
【００１６】
レフィル容器部に底キャップを組付けたものにあっては、収納筒体の下端開口部を底キャップで塞ぐので、レフィル容器部の機能部分である引き下げ片体を、収納筒体内に封止収納することができる。
【発明の効果】
【００１７】
本発明は、上記した構成となっているので、以下に示す効果を奏する。
本発明の液状内容物吐出容器は、内容物を収納しているレフィル容器部から、直接内容物を吐出するので、内容物の吐出通路の目詰まりとか、内容物の残留付着等の不都合の発生がなく、常に良好な吐出動作と、衛生的な使用状況を得ることができる。
【００１８】
また、レフィル容器部を分離した繰り上げ機能部は、レフィル容器部を分離させることにより、そのまま新たなレフィル容器部の組付け可能状態となるので、好ましい取り扱い状況を得ることができる。
【００１９】
さらに、レフィル容器部の繰り上げ機能部からの分離は、引き上げ片体に対する繰り上げ筒体の強引な係止解除により達成されるので、この係止解除に伴う衝撃が、触感として使用者に感知でき、これにより確実な分離動作を得ることができる。
【００２０】
引き下げ片体を、係止筒片と係止条を有する脚片とから構成したものにあっては、引き下げ片体のピストンに対する係止組付き部分と、繰り上げ筒体に対する係止組付き部分とを、別々に形成することができるので、両者の係止力を別々に設定することができ、これにより繰り上げ筒体の下降動作を利用した、適正な分離動作を得ることができる。
【００２１】
レフィル容器部に底キャップを組付けたものにあっては、レフィル容器部の機能部分である引き下げ片体を、収納筒体内に封止収納することができるので、レフィル容器部を独立したレフィル容器として、安全に取り扱うことができる。
【発明を実施するための最良の形態】
【００２２】
以下、本発明の実施形態例を、図面を参照して説明する。
【００２３】
図示した実施形態例における液状内容物吐出容器（図１参照）は、内容物Ｎを収納するレフィル容器部１と、レフィル容器部１からの内容物Ｎの吐出を行う繰り上げ機能部１６とから構成されている。
【００２４】
レフィル容器部１は、直線円筒状の本体部分の下端部を、段部を介して縮径させて外周面に螺条を刻設して組付き筒片２５とした収納筒体２と、この収納筒体２の上端開口部に、組付き筒６により密嵌着し、頂板４の中央に吐出口５を開設した有頂短円筒状の吐出キャップ３と、この吐出キャップ３に組付いて、その栓片８により吐出口５を密閉する開閉蓋７と、収納筒体２に挿入され、密摺接しながら昇降変位可能に組付くピストン９と、このピストン９の下側に係合組付きする引き下げ片体１１とから構成されている。
【００２５】
吐出キャップ３の頂板４上面は、吐出した内容物Ｎを、塗布処理し易い姿勢で位置させるように、平滑面となっており、図示実施形態例の場合は、さらに吐出した内容物Ｎが不正に流下しないように、なだらかな凹曲面となっている。
【００２６】
ピストン９は、有底円筒形状をしていて、筒壁の周囲には、収納筒体２の内周面に密摺接する弾接部分が設けられており、底壁部分の下面周端部からは、短円筒状の係合筒片１０が垂下設されている。
【００２７】
引き上げ片体１１は、ピストン９の係合筒片１０に嵌入して係合する有底短円筒状の係止筒片１２と、この係止筒片１２の底壁下面中央から垂下設された脚片１３とから構成されており、係止筒片１２の外周面には、係合筒片１０とアンダーカット結合する突条が設けられており、脚片１３の外周面には係止条１４が突周設されている。
【００２８】
なお、内容物Ｎを充填し、吐出口５を開閉蓋７で密閉し、そして収納筒体２の下端部に形成した組付き筒片２５に底キャップ１５を組付けた状態のレフィル容器部１（図２参照）は、レフィル容器部１の機能部分である引き上げ片体１１を、封止保護した状態となるので、レフィル容器として単品で安全に取り扱うことができる。
【００２９】
繰り上げ機能部１６は、直線円筒形状をし、上端部を、内周面に螺条を刻設して螺合筒部２６とした本体筒１７と、この本体筒１７の下端に回動可能にアンダーカット結合した有底円筒状の回動ツマミ１９と、本体筒１７に挿入組付けされ、本体筒１７および回動ツマミ１９に対して昇降変位可能に組付く繰り上げ筒体２１とから構成されている。
【００３０】
本体筒１７の内周面には、略全高さ範囲に亘ってキー溝１８が設けられ、上端部の内周面に螺条を刻設した螺合筒部２６は、収納筒体２の下端部の組付き筒片２５が螺合組付きする部分となっている。
【００３１】
回動ツマミ１９は有底円筒状をして、本体筒１７の下端部に回動可能にアンダーカット結合する本体部の底壁上面中央から、外周面に螺条を刻設した直線棒状の螺旋棒２０を起立設している。
【００３２】
繰り上げ筒体２１は、その本体筒部の外周面下端部に、キー溝１８に係合するキー２３を設けると共に、同じく本体筒部の内周面下端部に、螺旋棒２０に螺合する螺合筒片２４を一体に設け、さらに上端部内周面に、引き下げ片体１１の係止条１４に乗り越えて上方から係止する係止突片２２を、図示のように、嵌め込み固定を利用して一体的に組付け、斜め下方に向けて突設している。
【００３３】
レフィル容器部１を繰り上げ機能部１６に組付けると、繰り上げ筒体２１の上端面が、ピストン９の係合筒片１０の下端面に当接すると共に、係止突片２２が係止条１４に対して、乗り越えて上方から係止し、脚片１３は、その下端を螺旋棒２０の上端に対向させている。
【００３４】
この状態から、本体筒１７に対して回動ツマミ１９を回動させて、繰り上げ筒体２１を上昇させると、この繰り上げ筒体２１によりピストン９が押し上げられて、このピストン９の押上げ量に応じた量の内容物Ｎを、開放された吐出口５から、吐出キャップ３の頂板４上に吐出する。この際、引き上げ片体１１は、ピストン９と一緒に上昇変位する。
【００３５】
内容物Ｎの消費が進んで図１の二点鎖線で示したように、ピストン９が上昇限界位置に達すると、レフィル容器部１は、内容物Ｎを使用し尽した状態となる。
【００３６】
レフィル容器部１の繰り出し機能部１６からの分離は、最終的には、図４に示すように、繰り下げ筒体２１を下降限界位置に下降させて、引き下げ片体１１を離脱させることにより達成されるのであるが、収納筒体２の本体筒１７からの螺脱は、この引き上げ片体１１の繰り上げ筒体２１からの離脱とは別に行われる。
【００３７】
例えば、図１の状態で、レフィル容器部１を繰り出し機能部１６から螺脱させてから引き上げ、収納筒体２の段部（組付き筒片２５の上端に位置している）へのピストン９の突き当りを利用して、ピストン９と引き下げ片体１１との係合を解除して分別することにより図３の状態とし、この状態から回動ツマミ１９を操作して、繰上げ筒体２１を、図４に示した下降限界位置に下降させる。
【００３８】
また、図１の二点鎖線で示した状態から、回動ツマミ１９を逆操作して、ピストン９および引き下げ片体１１と一緒に繰り上げ筒体２１を、下降限界位置まで下降させ、組付き筒片２５の上端の段部に対するピストン９の突き当たりにより、ピストン９と引き上げ片体１１の係合を解除すると共に、螺旋棒２０に対する引き上げ片対１１の脚片１３の突き当たりにより、引き上げ片体１１と繰り上げ筒体２１との係止を解除し、収納筒体２を本体筒１７から螺脱させて、図４の状態とする。
【００３９】
図４に示した、引き下げ片体１１と繰り上げ筒体２１との離脱動作は、引き下げ片体１１と繰り上げ筒体２１との、一緒になった下降変位が進んで、繰り出し筒体２１の下降限度位置の直前となると、引き下げ片体１１が、その脚片１３を螺旋棒２０の上端に突き当てて、それ以上の下降変位ができなくなるのに対し、繰り出し筒体２１は、そのまま下降変位するので、係止条１４と係止突片２２との係止が解除され、これにより繰り出し機能部１６からレフィル容器部１を分離できる状態となる。
【００４０】
係止条１４と係止突片２２との係止が解除される際は、係止突片２２が係止条１４を強引に乗り越えることになるので、この強引な乗り越え動作に伴う機械的な衝撃が、操作する人の手に触感として伝わり、これにより繰り上げ機能部１６に対してレフィル容器部１が分離可能な状態となったことが、確認することができる。
【００４１】
なお、この繰り上げ機能部１６側の状態は、図１に示した、レフィル容器部１を組付けることができる状態と同じであるから、繰り上げ機能部１６のレフィル容器部１を取外す操作は、次の新しいレフィル容器部１を組付けることができる状態への復帰動作ともなっている。
【産業上の利用可能性】
【００４２】
以上説明したように、本発明の液状内容物吐出容器は、液状内容物を直接吐出するレフィル容器部の、繰り上げ機能部との着脱取り扱い処理を、簡単に、かつ安全に、そして効率よく行うことができ、レフィル容器を利用した吐出容器として、幅広い利用展開が期待できる。
【図面の簡単な説明】
【００４３】
【図１】本発明の一実施例示す、半縦断面図である。
【図２】図１に示した実施例の、レフィル容器の一例の半縦断面図である。
【図３】図に示した実施例の、繰り上げ機能部の動作説明に供する半縦断面図である。
【図４】図に示した実施例の、繰り上げ機能部の動作説明に供する、レフィル容器部分離時の半縦断面図である。
【符号の説明】
【００４４】
１    ；レフィル容器部
２    ；収納筒体
３    ；吐出キャップ
４    ；頂板
５    ；吐出口
６    ；組付き筒
７    ；開閉蓋
８    ；栓片
９    ；ピストン
１０  ；係合筒片
１１  ；引き下げ片体
１２  ；係止筒片
１３  ；脚片
１４  ；係止条
１５  ；底キャップ
１６  ；繰り上げ機能部
１７  ；本体筒
１８  ；キー溝
１９  ；回動ツマミ
２０  ；螺旋棒
２１  ；繰り上げ筒体
２２  ；係止突片
２３  ；キー
２４  ；螺合筒片
２５  ；組付き筒片
２６  ；螺合筒片
Ｎ    ；内容物
【図１】
2010005328.tif 000003
【図２】
2010005328.tif 000004
【図３】
2010005328.tif 000005
【図４】
2010005328.tif 000006